(57)【特許請求の範囲】
【請求項１】
マトリクス状に配置された複数の画素を有する液晶パネルと、
前記液晶パネルの視野角を改善する処理を行う視野角改善部とを備え、
前記液晶パネルは、前半と後半の２つの表示フレームで入力画像を表示し、
前記視野角改善部は、
前記表示フレームごとに、隣り合う２つの画素の一方で前記入力画像の階調よりも高い階調で表示する高階調表示を行うとともに、前記隣り合う２つの画素の他方で前記入力画像の階調よりも低い階調で表示する低階調表示を行い、さらに、各画素において、前記表示フレームごとに前記高階調表示と前記低階調表示とを切り替える処理部と、
次の前記表示フレームにおいて所定のオーバーシュート駆動が困難な階調で表示される画素の隣に位置する画素の階調を所定のオーバーシュート駆動よりも強めのオーバーシュート駆動が可能な階調に補正する補正部とを備え、
前記処理部は、前記所定のオーバーシュート駆動が困難な階調で表示される画素がある場合に、前記所定のオーバーシュート駆動が困難な階調で表示される画素の隣に位置する画素を、前記補正部が補正した階調で表示する、液晶表示装置。
【請求項２】
請求項１に記載の液晶表示装置であって、
前記処理部は、
前記入力画像の階調が所定の閾階調よりも低い階調である場合に、隣り合う２つの画素の一方では、前記前半の表示フレームにおいて最小階調よりも高く且つ最大階調よりも低い中間階調で前記高階調表示を行った後、前記後半の表示フレームにおいて前記最小階調で前記低階調表示を行い、
前記入力画像の階調が前記閾階調よりも高い階調である場合に、隣り合う２つの画素の一方では、前記前半の表示フレームにおいて前記最大階調で前記高階調表示を行った後、前記後半の表示フレームにおいて前記中間階調で前記低階調表示を行う、液晶表示装置。
【請求項３】
請求項２に記載の液晶表示装置であって、
前記補正部は、前記入力画像の階調が前記閾階調よりも低い階調である場合の前記低階調表示から前記入力画像の階調が前記閾階調よりも高い階調である場合の前記高階調表示に切り替わる画素の隣に位置する画素の階調を、前記所定のオーバーシュート駆動よりも強めのオーバーシュート駆動が可能な階調に補正する、液晶表示装置。
【請求項４】
請求項２に記載の液晶表示装置であって、
前記補正部は、前記入力画像の階調が前記閾階調よりも高い階調である場合の前記低階調表示から前記入力画像の階調が前記閾階調よりも高い階調である場合の前記高階調表示に切り替わる画素の隣に位置する画素の階調を、前記所定のオーバーシュート駆動よりも強めのオーバーシュート駆動が可能な階調に補正する、液晶表示装置。
【請求項５】
請求項２〜４の何れか１項に記載の液晶表示装置であって、
前記所定のオーバーシュート駆動が困難な階調は、前記最大階調を含む所定範囲の階調である、液晶表示装置。
【請求項６】
請求項１に記載の液晶表示装置であって、
前記処理部は、
前記入力画像の階調が所定の閾階調よりも低い階調である場合に、隣り合う２つの画素の一方では、前記前半の表示フレームにおいて最小階調で前記低階調表示を行った後、前記後半の表示フレームにおいて前記最小階調よりも高く且つ最大階調よりも低い中間階調で前記高階調表示を行い、
前記入力画像の階調が前記閾階調よりも高い階調である場合に、隣り合う２つの画素の一方では、前記前半の表示フレームにおいて前記中間階調で前記低階調表示を行った後、前記後半の表示フレームにおいて前記最大階調で前記高階調表示を行う、液晶表示装置。
【請求項７】
請求項６に記載の液晶表示装置であって、
前記補正部は、前記入力画像の階調が前記閾階調よりも低い階調である場合の前記高階調表示から前記入力画像の階調が前記閾階調よりも低い階調である場合の前記低階調表示に切り替わる画素の隣に位置する画素の階調を、前記所定のオーバーシュート駆動よりも強めのオーバーシュート駆動が可能な階調に補正する、液晶表示装置。
【請求項８】
請求項６に記載の液晶表示装置であって、
前記補正部は、前記入力画像の階調が前記閾階調よりも高い階調である場合の前記高階調表示から前記入力画像の階調が前記閾階調よりも低い階調である場合の前記低階調表示に切り替わる画素の隣に位置する画素の階調を、前記所定のオーバーシュート駆動よりも強めのオーバーシュート駆動が可能な階調に補正する、液晶表示装置。
【請求項９】
請求項６〜８の何れか１項に記載の液晶表示装置であって、
前記所定のオーバーシュート駆動が困難な階調は、前記最小階調を含む所定範囲の階調である、液晶表示装置。
【発明の詳細な説明】
【技術分野】
【０００１】
本発明は、液晶パネルを備える液晶表示装置に関し、特に液晶パネルの視野角が改善される液晶表示装置に関する。
【背景技術】
【０００２】
液晶パネルを備える液晶表示装置が知られている。液晶表示装置においては、液晶パネルの視野角を改善することが提案されている。例えば、国際公開２０１０／７１２２１号には、時分割で（例えば表示フレームごとに）階調を変化させる画像処理方法が開示されている。
【０００３】
上記公報に記載の画像処理方法では、高階調の画像及び低階調の画像が交互に表示される。そのため、液晶パネルの視野角を改善することができる。
【０００４】
しかしながら、上記公報に記載の画像処理方法を実行すると、画像全体の階調（表示フレーム全体の輝度）が大きく変化する。そのため、フリッカが生じ易くなる。
【０００５】
このようなフリッカを改善するために、液晶パネルの隣り合う画素で高階調表示と低階調表示とを行うとともに、各画素において時分割で高階調表示と低階調表示とを切り替える方法が考えられる。これにより、画像全体の階調が大きく変化しなくなる。そのため、上述のようなフリッカの発生を防止できる。
【０００６】
ところで、液晶表示装置では、液晶パネルの応答速度を向上させるために、オーバーシュート駆動を行うことが提案されている（例えば、国際公開２００６／９８２４４号参照）。
【０００７】
しかしながら、高階調表示と低階調表示とを切り替える場合には、オーバーシュート駆動ができないことがある。具体的には、例えば、切替後の階調が最大階調又は最小階調である場合には、オーバーシュート駆動ができない。この場合、表示フレーム全体の輝度が所定の輝度とは異なる輝度になってしまう。
【先行技術文献】
【特許文献】
【０００８】
【特許文献１】国際公開２０１０／７１２２１号
【特許文献２】国際公開２００６／９８２４４号
【発明の概要】
【発明が解決しようとする課題】
【０００９】
本発明の目的は、液晶パネルの視野角を改善しつつ、オーバーシュート駆動をしたときの表示フレーム全体の輝度変化を抑えることができる液晶表示装置を提供することである。
【課題を解決するための手段】
【００１０】
本発明の一実施形態に係る液晶表示装置は、液晶パネルと、視野角改善部とを備える。液晶パネルは、マトリクス状に配置された複数の画素を有する。視野角改善部は、液晶パネルの視野角を改善する処理を行う。視野角改善部は、処理部と、補正部とを備える。処理部は、隣り合う２つの画素の一方で入力画像の階調よりも高い階調で表示する高階調表示を行うとともに、隣り合う２つの画素の他方で入力画像の階調よりも低い階調で表示する低階調表示を行い、さらに、各画素において、表示フレームごとに高階調表示と低階調表示とを切り替える。補正部は、次の表示フレームにおいて所定のオーバーシュート駆動が困難な階調で表示される画素の隣に位置する画素の階調を所定のオーバーシュート駆動よりも強めのオーバーシュート駆動が可能な階調に補正する。処理部は、所定のオーバーシュート駆動が困難な階調で表示される画素がある場合に、所定のオーバーシュート駆動が困難な階調で表示される画素の隣に位置する画素を、補正部が補正した階調で表示する。
【発明の効果】
【００１１】
本発明の一実施形態によれば、液晶パネルの視野角を改善しつつ、オーバーシュート駆動をしたときの表示フレーム全体の輝度変化を抑えることができる。
【図面の簡単な説明】
【００１２】
【図１】図１は、本発明の一実施形態に係る液晶表示装置の概略構成を示すブロック図である。
【図２】図２は、液晶パネルの視認方向の違いによる階調レベルの差を示す図である。
【図３】図３は、視野角を改善する処理の概要を示す図である。
【図４】図４は、変換部が行う階調変換の一例を示す図である。
【図５】図５は、入力画像の階調が閾階調よりも低い場合において、前半が低階調表示であり、後半が高階調表示である場合を示す図である。
【図６】図６は、入力画像の階調が閾階調である場合において、前半が低階調表示であり、後半が高階調表示である場合を示す図である。
【図７】図７は、入力画像の階調が閾階調よりも大きい場合において、前半が低階調表示であり、後半が高階調表示である場合を示す図である。
【図８】図８は、入力画像の階調が閾階調よりも低い場合において、前半が高階調表示であり、後半が低階調表示である場合を示す図である。
【図９】図９は、入力画像の階調が閾階調である場合において、前半が高階調表示であり、後半が低階調表示である場合を示す図である。
【図１０】図１０は、入力画像の階調が閾階調よりも高い場合において、前半が高階調表示であり、後半が低階調表示である場合を示す図である。
【図１１】図１１は、表示態様１から表示態様３に切り替わるときのオーバーシュート駆動を説明するタイムチャートである。
【図１２】図１２は、表示態様３が連続するときのオーバーシュート駆動を説明するタイムチャートである。
【図１３】図１３は、表示態様４が連続するときのオーバーシュート駆動を説明するタイムチャートである。
【図１４】図１４は、表示態様６から表示態様４に切り替わるときのオーバーシュート駆動を説明するタイムチャートである。
【発明を実施するための形態】
【００１３】
本発明の一実施形態に係る液晶表示装置は、液晶パネルと、視野角改善部とを備える。液晶パネルは、マトリクス状に配置された複数の画素を有する。視野角改善部は、液晶パネルの視野角を改善する処理を行う。視野角改善部は、処理部と、補正部とを備える。処理部は、隣り合う２つの画素の一方で入力画像の階調よりも高い階調で表示する高階調表示を行うとともに、隣り合う２つの画素の他方で入力画像の階調よりも低い階調で表示する低階調表示を行い、さらに、各画素において、表示フレームごとに高階調表示と低階調表示とを切り替える。補正部は、次の表示フレームにおいて所定のオーバーシュート駆動が困難な階調で表示される画素の隣に位置する画素の階調を所定のオーバーシュート駆動よりも強めのオーバーシュート駆動が可能な階調に補正する。処理部は、所定のオーバーシュート駆動が困難な階調で表示される画素がある場合に、所定のオーバーシュート駆動が困難な階調で表示される画素の隣に位置する画素を、補正部が補正した階調で表示する（第１の構成）。
【００１４】
第１の構成においては、表示フレームごとに高階調表示と低階調表示とが切り替えられる。そのため、液晶パネルの視野角が改善される。
【００１５】
ここで、第１の構成においては、隣り合う２つの画素の一方で高階調表示が行われるとともに、他方で低階調表示が行われ、さらに、画素ごとに高階調表示と低階調表示とが切り替えられる。そのため、表示フレーム全体の輝度が大きく変化しない。その結果、フリッカの発生が抑えられる。
【００１６】
液晶パネルの応答速度を向上させる場合、オーバーシュート駆動が行われる。低階調表示から高階調表示に切り替わるときにオーバーシュート駆動をする場合、目標とする階調は、表示すべき階調よりも高い階調に設定される。高階調表示から低階調表示に切り替わるときにオーバーシュート駆動をする場合、目標とする階調は、表示すべき階調よりも低い階調に設定される。
【００１７】
ここで、高階調表示と低階調表示とが切り替わるときに、所定のオーバーシュート駆動が困難な場合がある。例えば、低階調表示から高階調表示に切り替わるときに表示すべき階調が最大階調である場合や、高階調表示から低階調表示に切り替わるときに表示すべき階調が最小階調である場合には、オーバーシュート駆動をするときの目標とする階調が設定できない。そのため、所定のオーバーシュート駆動ができない。
【００１８】
また、表示すべき階調が最大階調又は最小階調でなくても、これらの階調に近い階調である場合には、オーバーシュート駆動をするときの目標とする階調を、本来目標とすべき階調に設定できない。そのため、所定のオーバーシュート駆動ができない。
【００１９】
所定のオーバーシュート駆動が困難な階調で表示される画素の輝度は、所定の輝度と異なる。そのため、所定のオーバーシュート駆動が困難な階調で表示される画素がある場合には、表示フレーム全体の輝度が所定の輝度とは異なる輝度になってしまう。
【００２０】
ここで、第１の構成においては、所定のオーバーシュート駆動が困難な階調で表示される画素がある場合、その隣に位置する画素の階調は、所定のオーバーシュート駆動よりも強めのオーバーシュート駆動が可能な階調に補正される。つまり、所定のオーバーシュート駆動が困難な階調で表示される画素における輝度の変化を、その隣に位置する画素の輝度を変化させることで、補うことができる。その結果、表示フレーム全体の輝度を所定の輝度に近づけることができる。
【００２１】
なお、所定のオーバーシュート駆動とは、その表示フレームで本来表示すべき階調に到達させるためのオーバーシュート駆動である。
【００２２】
第１の構成において、処理部は、入力画像の階調が所定の閾階調よりも低い階調である場合に、最小階調よりも高く且つ最大階調よりも低い中間階調で高階調表示を行った後、最小階調で低階調表示を行い、入力画像の階調が閾階調よりも高い階調である場合に、最大階調で高階調表示を行った後、中間階調で低階調表示を行う（第２の構成）。
【００２３】
第２の構成において、補正部は、入力画像の階調が閾階調よりも低い階調である場合の低階調表示から入力画像の階調が閾階調よりも高い階調である場合の高階調表示に切り替わる画素の隣に位置する画素の階調を、所定のオーバーシュート駆動よりも強めのオーバーシュート駆動が可能な階調に補正する（第３の構成）。
【００２４】
第２の構成において、補正部は、入力画像の階調が閾階調よりも高い階調である場合の低階調表示から入力画像の階調が閾階調よりも高い階調である場合の高階調表示に切り替わる画素の隣に位置する画素の階調を、所定のオーバーシュート駆動よりも強めのオーバーシュート駆動が可能な階調に補正する（第４の構成）。
【００２５】
第２〜第４の構成の何れか１つにおいて、所定のオーバーシュート駆動が困難な階調は、最大階調を含む所定範囲の階調である（第５の構成）。この場合、低階調表示から切り替わった高階調表示の階調が、最大階調のときだけでなく、最大階調に近い階調のときであっても、表示フレーム全体の輝度を所定の輝度に近づけることができる。
【００２６】
第１の構成において、処理部は、入力画像の階調が所定の閾階調よりも低い階調である場合に、最小階調で低階調表示を行った後、最小階調よりも高く且つ最大階調よりも低い中間階調で高階調表示を行い、入力画像の階調が閾階調よりも高い階調である場合に、中間階調で低階調表示を行った後、最大階調で高階調表示を行う（第６の構成）。
【００２７】
第６の構成において、補正部は、入力画像の階調が閾階調よりも低い階調である場合の高階調表示から入力画像の階調が閾階調よりも低い階調である場合の低階調表示に切り替わる画素の隣に位置する画素の階調を、所定のオーバーシュート駆動よりも強めのオーバーシュート駆動が可能な階調に補正する（第７の構成）。
【００２８】
第６の構成において、補正部は、入力画像の階調が閾階調よりも高い階調である場合の高階調表示から入力画像の階調が閾階調よりも低い階調である場合の低階調表示に切り替わる画素の隣に位置する画素の階調を、所定のオーバーシュート駆動よりも強めのオーバーシュート駆動が可能な階調に補正する（第８の構成）。
【００２９】
第６〜第８の構成の何れか１つにおいて、所定のオーバーシュート駆動が困難な階調は、最小階調を含む所定範囲の階調である（第９の構成）。この場合、高階調表示から切り替わった低階調表示の階調が、最小階調のときだけでなく、最小階調に近い階調のときであっても、表示フレーム全体の輝度を所定の輝度に近づけることができる。
【００３０】
以下、本発明のより具体的な実施形態について、図面を参照しながら説明する。図中同一または相当部分には同一符号を付してその説明は繰り返さない。なお、以下で参照する図面においては、説明を分かりやすくするために、構成が簡略化または模式化して示されたり、一部の構成部材が省略されたりしている。また、各図に示された構成部材間の寸法比は、必ずしも実際の寸法比を示すものではない。
【００３１】
［実施形態］
図１に、本発明の一実施形態に係る液晶表示装置１０の概略構成を示す。液晶表示装置１０は、液晶パネル１２と、視野角改善部１４とを備える。視野角改善部１４は、処理部１６を備える。処理部１６は、変換部１８と、出力部２０と、判定部２２と、補正部２４とを含む。なお、図１では、液晶パネル１２を駆動するソースドライバ及びゲートドライバ等の図示は省略している。
【００３２】
液晶パネル１２は、透過型の液晶パネルであってもよいし、反射型や半透過型の液晶パネルであってもよい。液晶パネル１２における液晶の動作モードは、特に限定されない。
【００３３】
液晶パネル１２は、複数の画素１２１を有する。複数の画素１２１は、マトリクス状に配置されている。
【００３４】
液晶パネル１２は、特に図示しないが、アクティブマトリクス基板と、アクティブマトリクス基板に対向して配置される対向基板と、これらの基板間に封入される液晶層とを備える。
【００３５】
アクティブマトリクス基板は、複数の薄膜トランジスタと、複数の画素電極と、複数のゲート配線と、複数のソース配線とを備える。対向基板は、対向電極を備える。液晶パネル１２が有する画素１２１は、アクティブマトリクス基板が有する画素電極を含んで構成される。
【００３６】
薄膜トランジスタは、ゲート電極を有する。ゲート電極は、ゲート配線を介して、ゲートドライバに接続されている。ゲートドライバは、垂直同期信号を参照して、ゲート電圧をゲート配線に出力する。
【００３７】
薄膜トランジスタは、ソース電極を有する。ソース電極は、ソース配線を介して、ソースドライバに接続されている。ソースドライバは、入力される画像信号に基づいて、階調表示に必要な信号（駆動電圧）を生成する。ソースドライバは、水平同期信号を参照して、駆動電圧をソース配線に出力する。このとき、ゲート電圧がゲート電極に印加されている薄膜トランジスタを介して、画素電極と対向電極との間に位置する液晶に駆動電圧が印加される。これにより、各画素の階調表示が可能になる。
【００３８】
視野角改善部１４は、入力される画像信号の階調を変換して液晶パネル１２に出力し、液晶パネル１２の視野角特性を改善する。
【００３９】
ここで、図２を参照しながら、液晶パネル１２の視野角特性について説明する。液晶パネル１２は、液晶層に電圧を印加し、液晶層内の液晶分子の配向状態を変化させることで、光の透過率を調整する。液晶パネル１２は、表示面に対する視認方向によって液晶分子の配向状態が相対的に変化する。そのため、他の表示装置に比べると視野角が狭い。例えば、図２に示すように、表示面を正面から見た場合の階調レベル（正面階調レベル）に対し、表示面を斜め方向（例えば４５度）から見た場合の階調レベル（斜め階調レベル）は異なる階調レベルになる。
【００４０】
このような液晶パネル１２の視野角特性は、以下に説明する画像処理方法によって改善される。
【００４１】
処理部１６は、図３に示すように、隣り合う画素１２１で高階調表示（図３の斜線部分）及び低階調表示（図３の白色部分）を行うとともに、表示フレームごと（図３の表示フレーム１，２）に高階調表示と低階調表示とを切り替える。これにより、各表示フレームにおいて、各画素１２１の階調が、斜め方向から見た場合でも階調や色味が大きく変化し難い階調に変換される。その結果、液晶パネル１２の視野角特性が改善される。なお、このような画像処理方法が行われても、表示フレーム全体の輝度は、全ての画素が有する輝度の平均として認識される。そのため、液晶パネル１２に表示される画像の輝度が所定の輝度（入力画像の輝度）と大きく相違することはない。
【００４２】
ここで、変換部１８は、出力画像の輝度が目的とする輝度となるように、入力画像の階調を入力画像の階調よりも高い階調と低い階調とに変換する。入力画像の階調と出力画像の階調とは、例えば、図４に示すような関係にある。高階調で表示する場合、変換部１８は、図４の実線で示す関係に基づいて、入力画像の階調を変換する。低階調で表示する場合、変換部１８は、図４の破線で示す関係に基づいて、入力画像の階調を変換する。
【００４３】
さらに詳しく説明すると、入力画像の階調が所定の閾階調よりも低い場合、変換部１８は、低階調表示の階調を最小階調にし、高階調表示の階調を最小階調より高く且つ最大階調よりも低い中間階調にする。入力画像の階調が閾階調である場合、変換部１８は、低階調表示の階調を最小階調にし、高階調表示の階調を最大階調にする。入力画像の階調が閾階調よりも大きい場合、変換部１８は、低階調表示の階調を最小階調より高く且つ最大階調より低い中間階調にし、高階調表示の階調を最大階調にする。例えば、２５６階調の場合、最低階調は０階調であり、最大階調は２５５階調であり、閾階調は１８０階調である。なお、閾階調は、例えば、液晶の応答速度、目標とする輝度等に応じて、適宜、変更されるものである。
【００４４】
出力部２０は、変換部１８が変換した階調信号を液晶パネル１２に出力する。これにより、液晶パネル１２の視野角が改善される。
【００４５】
ここで、出力部２０が液晶パネル１２に出力する階調信号について説明する。液晶パネル１２では、各画素１２１において、高階調表示と低階調表示とが交互に行われる。
【００４６】
図３において、表示フレーム１が低階調表示であり、表示フレーム２が高階調表示である画素１２１の場合、出力部２０は、図５〜図７に示す階調信号を出力する。図５は、入力画像の階調が閾階調よりも低い場合において、前半が低階調表示であり、後半が高階調表示である場合（表示態様１）を示す。図６は、入力画像の階調が閾階調である場合において、前半が低階調表示であり、後半が高階調表示である場合（表示態様２）を示す。図７は、入力画像の階調が閾階調よりも大きい場合において、前半が低階調表示であり、後半が高階調表示である場合（表示態様３）を示す。
【００４７】
図３において、表示フレーム１が高階調表示であり、表示フレーム２が低階調表示である画素１２１の場合、出力部２０は、図８〜図１０に示す階調信号を出力する。図８は、入力画像の階調が閾階調よりも低い場合において、前半が高階調表示であり、後半が低階調表示である場合（表示態様４）を示す。図９は、入力画像の階調が閾階調である場合において、前半が高階調表示であり、後半が低階調表示である場合（表示態様５）を示す。図１０は、入力画像の階調が閾階調よりも高い場合において、前半が高階調表示であり、後半が低階調表示である場合（表示態様６）を示す。
【００４８】
ところで、液晶パネル１２の応答速度は、他の表示パネル（例えば、プラズマディスプレイパネル）よりも遅い。これは、電圧を印加しても、液晶分子の配向が直ちに変化しないことによる。液晶パネル１２の応答速度を向上させるため、出力部２０は、オーバーシュート駆動を行う。
【００４９】
ここで、図３において、表示フレーム１が低階調表示であり、表示フレーム２が高階調表示である画素１２１の階調が変化するときに、出力部２０がオーバーシュート駆動を行う場合について考える。この場合、表１に示すように、立ち上がり応答のときに、オーバーシュート駆動ができない場合がある。
【００５０】
【表１】
0005831875.tif 000002
【００５１】
立ち上がり応答のときにオーバーシュート駆動ができない理由について、以下に説明する。
【００５２】
立ち上がり応答のときにオーバーシュート駆動をする場合、目標とする階調を表示すべき階調よりも高く設定する必要がある。ところが、表１において、表示態様１から表示態様３に変化する場合及び表示態様３が連続する場合には、表示フレームが切り替わるときに、中間階調又は最小階調で表示する低階調表示から最大階調で表示する高階調表示へと階調表示が変化する。最大階調よりも高い階調を目標とする階調に設定することはできない。そのため、オーバーシュート駆動ができない。
【００５３】
表示態様１から表示態様３に切り替わる場合、図１１に示すように、表示フレーム１の表示期間では、液晶の応答が完了しない。そのため、本来表示すべき階調に到達しない。その結果、画素の輝度が低下する。
【００５４】
ここで、判定部２２は、次に表示する表示フレームにおいて、オーバーシュート駆動ができない画素があるか判定する。
【００５５】
補正部２４は、判定部２２によってオーバーシュート駆動ができないと判定された画素の隣に位置する画素の階調を、所定のオーバーシュート駆動よりも強めのオーバーシュート駆動が可能な階調に補正する。図１１に示すように、所定のオーバーシュート駆動が行われる階調よりも高い階調が目標とする階調に設定される。そのため、所定のオーバーシュート駆動よりも強めのオーバーシュート駆動が行われる。その結果、画素の輝度が上昇する。
【００５６】
つまり、液晶パネル１２においては、オーバーシュート駆動ができない画素で低下した輝度を、隣の画素の輝度を上昇させることで補うことができる。その結果、表示フレーム全体の輝度が変化するのを抑えられる。
【００５７】
なお、表示フレーム１でオーバーシュート駆動ができなかった画素は、表示フレーム２において、オーバーシュート駆動が可能になる。そのため、表示フレーム２では、表示フレーム１でオーバーシュート駆動ができなかった画素において、オーバーシュート駆動が行われる。
【００５８】
表示フレーム１で所定のオーバーシュート駆動よりも強めのオーバーシュート駆動を行えば、表示フレーム１で所定のオーバーシュート駆動を行う場合よりも、入力階調に近い波形を得ることができる。
【００５９】
表示態様３から表示態様３に切り替わる場合、図１２に示すように、表示フレーム１の表示期間では、液晶の応答が完了しない。そのため、本来表示すべき階調に到達しない。その結果、画素の輝度が低下する。
【００６０】
ここで、判定部２２は、次に表示する表示フレームにおいて、オーバーシュート駆動ができない画素があるか判定する。
【００６１】
補正部２４は、判定部２２によってオーバーシュート駆動ができないと判定された画素の隣に位置する画素の階調を、所定のオーバーシュート駆動よりも強めのオーバーシュート駆動が可能な階調に補正する。図１２に示すように、所定のオーバーシュート駆動が行われる階調よりも高い階調が目標とする階調に設定される。そのため、所定のオーバーシュート駆動よりも強めのオーバーシュート駆動が行われる。その結果、画素の輝度が上昇する。
【００６２】
つまり、オーバーシュート駆動ができない画素で低下した輝度を、隣の画素の輝度を上昇させることで補うことができる。その結果、表示フレーム全体の輝度が変化するのを抑えられる。
【００６３】
なお、表示フレーム１でオーバーシュート駆動ができなかった画素は、表示フレーム２において、オーバーシュート駆動が可能になる。そのため、表示フレーム２では、表示フレーム１でオーバーシュート駆動ができなかった画素において、オーバーシュート駆動が行われる。
【００６４】
表示フレーム１で所定のオーバーシュート駆動よりも強めのオーバーシュート駆動を行えば、表示フレーム１で所定のオーバーシュート駆動を行う場合よりも、入力階調に近い波形を得ることができる。
【００６５】
続いて、図３において、表示フレーム１が高階調表示であり、表示フレーム２が低階調表示である画素１２１の階調が変化するときに、出力部２０がオーバーシュート駆動を行う場合について考える。この場合、表２に示すように、立ち下がり応答のときに、オーバーシュート駆動ができない場合がある。
【００６６】
【表２】
0005831875.tif 000003
【００６７】
立ち下がり応答のときにオーバーシュート駆動ができない理由について、以下に説明する。
【００６８】
立ち下がり応答のときにオーバーシュート駆動をする場合、目標とする階調を表示すべき階調よりも低く設定する必要がある。ところが、表２において、表示態様４が連続する場合及び表示態様６から表示態様４に変化する場合には、表示フレームが切り替わるときに、中間階調又は最大階調で表示する高階調表示から最小階調で表示する低階調表示へと階調表示が変化する。最小階調よりも低い階調を目標とする階調に設定することはできない。そのため、オーバーシュート駆動ができない。
【００６９】
表示態様４から表示態様４に切り替わる場合、図１３に示すように、表示フレーム１の表示期間では、液晶の応答が完了しない。そのため、本来表示すべき階調に到達しない。その結果、画素の輝度が上昇する。
【００７０】
ここで、判定部２２は、次に表示する表示フレームにおいて、オーバーシュート駆動ができない画素があるか判定する。
【００７１】
補正部２４は、判定部２２によってオーバーシュート駆動ができないと判定された画素の隣に位置する画素の階調を、所定のオーバーシュート駆動よりも強めのオーバーシュート駆動が可能な階調に補正する。図１３に示すように、所定のオーバーシュート駆動が行われる階調よりも低い階調が目標とする階調に設定される。そのため、所定のオーバーシュート駆動よりも強めのオーバーシュート駆動が行われる。その結果、画素の輝度が低下する。
【００７２】
つまり、液晶パネル１２においては、オーバーシュート駆動ができない画素で上昇した輝度を、隣の画素の輝度を低下させることで補うことができる。その結果、表示フレーム全体の輝度が変化するのを抑えられる。
【００７３】
なお、表示フレーム１でオーバーシュート駆動ができなかった画素は、表示フレーム２において、オーバーシュート駆動が可能になる。そのため、表示フレーム２では、表示フレーム１でオーバーシュート駆動ができなかった画素において、オーバーシュート駆動が行われる。
【００７４】
表示フレーム１で所定のオーバーシュート駆動よりも強めのオーバーシュート駆動を行えば、表示フレーム１で所定のオーバーシュート駆動を行う場合よりも、入力階調に近い波形を得ることができる。
【００７５】
表示態様６から表示態様４に切り替わる場合、図１４に示すように、表示フレーム１の表示期間では、液晶の応答が完了しない。そのため、本来表示すべき階調に到達しない。その結果、画素の輝度が上昇する。
【００７６】
ここで、判定部２２は、次に表示する表示フレームにおいて、オーバーシュート駆動ができない画素があるか判定する。
【００７７】
補正部２４は、判定部２２によってオーバーシュート駆動ができないと判定された画素の隣に位置する画素の階調を、所定のオーバーシュート駆動よりも強めのオーバーシュート駆動が可能な階調に補正する。図１４に示すように、所定のオーバーシュート駆動が行われる階調よりも低い階調が目標とする階調に設定される。そのため、所定のオーバーシュート駆動よりも強めのオーバーシュート駆動が行われる。その結果、画素の輝度が低下する。
【００７８】
つまり、オーバーシュート駆動ができない画素で上昇した輝度を、隣の画素の輝度を低下させることで補うことができる。その結果、表示フレーム全体の輝度が変化するのを抑えられる。
【００７９】
なお、表示フレーム１でオーバーシュート駆動ができなかった画素は、表示フレーム２において、オーバーシュート駆動が可能になる。そのため、表示フレーム２では、表示フレーム１でオーバーシュート駆動ができなかった画素において、オーバーシュート駆動が行われる。
【００８０】
表示フレーム１で所定のオーバーシュート駆動よりも強めのオーバーシュート駆動を行えば、表示フレーム１で所定のオーバーシュート駆動を行う場合よりも、入力階調に近い波形を得ることができる。
【００８１】
［実施形態の応用例１］
本応用例では、判定部２２は、高階調表示の階調が最大階調に近い階調である場合にも、オーバーシュート駆動ができないと判定する。そのため、表示フレーム全体の輝度を所定の輝度に近づけることができる。
【００８２】
［実施形態の応用例２］
本応用例では、判定部２２は、低階調表示の階調が最小階調に近い場合にも、オーバーシュート駆動ができないと判定する。そのため、表示フレーム全体の輝度を所定の輝度に近づけることができる。
【００８３】
以上、本発明の実施形態について、詳述してきたが、これらはあくまでも例示であって、本発明は、上述の実施形態によって、何等、限定されない。
【００８４】
例えば、入力画像の階調が中間階調の場合にのみ、変換部１８が入力画像の階調を高階調表示の階調と低階調表示の階調とに変換してもよい。
【００８５】
表１では、表示態様１から表示態様３に切り替わる場合及び表示態様３から表示態様３に切り替わる場合に、強めのオーバーシュート駆動を行っていたが、例えば、表示態様２から表示態様３に切り替わる場合に、強めのオーバーシュート駆動を行ってもよい。
【００８６】
表２では、表示態様４から表示態様４に切り替わる場合及び表示態様６から表示態様４に切り替わる場合に、強めのオーバーシュート駆動を行っていたが、例えば、表示態様５から表示態様４に切り替わる場合に、強めのオーバーシュート駆動を行ってもよい。
【符号の説明】
【００８７】
１０：液晶表示装置、１２：液晶パネル、１４：視野角改善部、１６：処理部、２４：補正部
【図１】
0005831875.tif 000004
【図２】
0005831875.tif 000005
【図３】
0005831875.tif 000006
【図４】
0005831875.tif 000007
【図５】
0005831875.tif 000008
【図６】
0005831875.tif 000009
【図７】
0005831875.tif 000010
【図８】
0005831875.tif 000011
【図９】
0005831875.tif 000012
【図１０】
0005831875.tif 000013
【図１１】
0005831875.tif 000014
【図１２】
0005831875.tif 000015
【図１３】
0005831875.tif 000016
【図１４】
0005831875.tif 000017